(57)【要約】【課題】  血圧計用カフを手首に装着する際に、コアが装着者の尺骨茎状突起に当たらないようにした血圧計用カフを提供する。【解決手段】  手首Ｍに巻くように装着されるカバー体２１に収容され、断面Ｕ字状に開口した開口部４０を有する弾性体のコア３０を備える血圧計用カフ２０である。この血圧計用カフ２０において、弾性体のコア３０は、断面Ｕ字状に開口した開口部４０の手の甲側の開口縁３１ａに切欠き３３を有する。【選択図】図３
2020081734.tif 000002
【特許請求の範囲】
【請求項１】
手首に巻くように装着されるカバー体に収容される、断面Ｕ字状に開口した開口部を有する弾性体のコアを備え、
前記コアは、前記開口部の手の甲側の開口縁に切欠きを有する
ことを特徴とする、血圧計用カフ。
【請求項２】
前記切欠きは、前記コアの長手方向の両方の角部に設けられる
ことを特徴とする、請求項１に記載の血圧計用カフ。
【請求項３】
前記切欠きは、前記コアの長手方向の中央付近に設けられる
ことを特徴とする、請求項１に記載の血圧計用カフ。
【請求項４】
前記切欠きの隅角部は、Ｒ状に丸く形成される
ことを特徴とする、請求項１〜３の何れか一項に記載の血圧計用カフ。
【請求項５】
手の甲側の前記開口縁には、前記コアの手首への装着方向に対して傾斜した返し部が形成される
ことを特徴とする、請求項１〜４の何れか一項に記載の血圧計用カフ。
【請求項６】
前記返し部は、前記コアの手首への装着方向において、手の平側の開口縁より突出しない位置に形成される
ことを特徴とする、請求項５に記載の血圧計用カフ。
【発明の詳細な説明】
【技術分野】
【０００１】
本発明は、手首に巻かれる帯状の血圧計用カフに関する。
【背景技術】
【０００２】
従来、血圧計用カフは、手首に沿うように湾曲する、断面Ｕ字状に開口した開口部を有するコアを備え、開口部から挿入した手首に装着できるように構成される（例えば、特許文献１参照）。
【先行技術文献】
【特許文献】
【０００３】
【特許文献１】特開２００４−８２４０号公報
【発明の概要】
【発明が解決しようとする課題】
【０００４】
特許文献１には、手首部を通過させることができる開口部を有する一体物のリング状部材に、手首部に存在する尺骨茎状突起との当接を避けるための開口領域を設ける手首式血圧計用カフが開示されている。
【０００５】
しかしながら、特許文献１に記載の手首式血圧計用カフは、開口領域が貫通穴として形成されるため、手首式血圧計用カフを手首に装着する際に、リング状部材が装着者の尺骨茎状突起に当たってしまう、という問題がある。
【０００６】
そこで、本発明は、血圧計用カフを手首に装着する際に、コアが装着者の尺骨茎状突起に当たらないようにした血圧計用カフを提供することを目的としている。
【課題を解決するための手段】
【０００７】
前記目的を達成するために、本発明の血圧計用カフは、手首に巻くように装着されるカバー体に収容される、断面Ｕ字状に開口した開口部を有する弾性体のコアを備え、前記コアは、前記開口部の手の甲側の開口縁に切欠きを有することを特徴とする。
【発明の効果】
【０００８】
このように構成された本発明の血圧計用カフは、式血圧計用カフを手首に装着する際に、コアが装着者の尺骨茎状突起に当たらないようにすることができる。
【図面の簡単な説明】
【０００９】
【図１】実施例１の手首装着型血圧計の構成を示す斜視図である。
【図２】実施例１の手首装着型血圧計の構成を示す断面図である。
【図３】実施例１のコアを示す斜視図である。
【図４】実施例１のコアを示す断面図である。
【図５】変形例のコアを示す斜視図である。
【図６】実施例１の手首装着型血圧計の装着動作を説明する説明図である。
【図７】実施例２のコアを示す斜視図である。
【図８】別の実施例のコアを示す斜視図である。
【発明を実施するための形態】
【００１０】
以下、本発明による血圧計用カフを実現する実施形態を、図面に示す実施例１及び実施例２に基づいて説明する。
【実施例１】
【００１１】
実施例１における血圧計用カフは、手首の血圧を測る手首装着型血圧計に適用される。
【００１２】
［手首装着型血圧計の構成］
図１は、実施例１の手首装着型血圧計の構成を示す斜視図である。図２は、実施例１の手首装着型血圧計の構成を示す断面図である。以下、図１及び図２に基づいて、実施例１の手首装着型血圧計の構成を説明する。
【００１３】
手首装着型血圧計１は、図１に示すように、装置本体１０と、手首Ｍに巻き付けられる血圧計用カフ２０と、を備える。装置本体１０の表面には、表示部１１と、操作部１２と、を備える。
【００１４】
装置本体１０は、手首装着型血圧計１が手首Ｍに装着された状態で、手の甲側から親指側の側面にわたって配置され、被測定者が、表示部１１を視認し、操作部１２を操作可能なようになっている。装置本体１０の内部には、図示しないポンプ、スローリーク弁、圧力センサー等を内蔵する。
【００１５】
血圧計用カフ２０は、図２に示すように、手首Ｍに巻くように装着されるカバー体２１と、カバー体２１の内部に収容される空気袋２２及びコア３０と、を備える。
【００１６】
カバー体２１は、帯状の布等で形成され、手首Ｍの一般的な周長よりも長く形成される。カバー体２１の折り返し部２１ａの近傍には、面ファスナ２３が取り付けられる。面ファスナ２３は、装置本体１０の上面に設けられた面ファスナ２４に押し付けることで貼り付けられて固定される。
【００１７】
空気袋２２は、樹脂シートにより形成された袋状の部材から形成される。空気袋２２は、装置本体１０のポンプから導入された空気により膨張する。
【００１８】
このように構成された手首装着型血圧計１では、血圧計用カフ２０を手首Ｍに巻き、面ファスナ２３と面ファスナ２４とを貼り付けることで、手首装着型血圧計１を被測定者の手首Ｍに装着する。手首装着型血圧計１を被測定者の手首Ｍに装着した状態で、操作部１２を操作することで、装置本体１０のポンプから、空気袋２２の内部に、空気が導入される。空気袋２２に空気が導入されると、手首Ｍの動脈が圧迫される。
【００１９】
その後、装置本体１０に内蔵されているポンプの駆動が止められ、空気袋２２内の空気を、装置本体１０に内蔵されたスローリーク弁より徐々に抜くことにより、空気袋２２内の圧力を下げる。このとき、手首Ｍの動脈の脈動による空気袋２２内の圧力の変化を、装置本体１０に内蔵された圧力センサーにて検出し、表示部１１に表示するようになっている。
【００２０】
［コアの構成］
図３は、実施例１のコア３０を示す斜視図である。図４は、実施例１のコア３０を示す断面図である。図５は、変形例のコア３０を示す斜視図である。以下、図３〜図５に基づいて、実施例１のコア３０の構成を説明する。
【００２１】
コア３０は、例えば、樹脂等の弾性体で形成され、図３及び図４に示すように、手首Ｍに沿うように湾曲した帯状のコア本体３１と、コア本体３１の周方向の端部に形成された返し部３２と、から構成される。
【００２２】
コア本体３１は、断面Ｕ字状に開口した開口部４０を有するように形成される。すなわち、コア本体３１は、手首Ｍを通過させることができる開口部４０を有する筒状に形成される。
【００２３】
開口部４０は、コア本体３１の周方向の手の甲側の開口縁３１ａと、コア本体３１の周方向の手の平側の開口縁３１ｂとの間に形成される。
【００２４】
コア本体３１は、開口部４０の手の甲側の開口縁３１ａに、矩形の切欠き３３を有する。切欠き３３は、コア本体３１の長手方向において、コア本体３１の一方の角部に形成される切欠き３３ａと、他方の角部に形成される切欠き３３ｂとで構成される。なお、切欠きは、この態様に限定されない。例えば、図５に示すように、隅角部がＲ状に丸く形成された切欠き１３３としてもよい。
【００２５】
返し部３２は、開口縁３１ａから、筒状に形成されたコア本体３１の内側に向かって延在して形成される。返し部３２は、血圧計用カフ２０の手首Ｍへの装着方向Ｄに対して傾斜した傾斜面として形成される。
【００２６】
返し部３２は、コア本体３１に接続された支持部３５によって支持される。返し部３２は、装着方向Ｄにおいて、開口縁３１ｂと略同じ位置に形成される。なお、返し部３２は、装着方向Ｄにおいて、開口縁３１ｂより突出しない位置に形成されてもよい。
【００２７】
［手首装着型血圧計の装着動作］
図６は、実施例１の手首装着型血圧計１の装着動作を説明する説明図である。以下、図６に基づいて、実施例１の手首装着型血圧計１を装着者の左手の手首Ｍに装着する装着動作を説明する。
【００２８】
手首装着型血圧計１を左手の手首Ｍに装着する際、被測定者が、装置本体１０を右手で持ち、コア３０の開口部４０を、被測定者の左手の手首Ｍに向けて移動させる。
【００２９】
手首装着型血圧計１が、手首Ｍに近づくと、手首Ｍが、カバー体２１を介して、返し部３２に当たり、コア本体３１の形状が弾性変形し、開口部４０が拡がる。開口部４０が拡がった状態で、手首装着型血圧計１を装着方向Ｄにさらに移動させると、コア本体３１の形状が復元し、手首装着型血圧計１が手首Ｍに装着される。
【００３０】
この際、コア３０は、切欠き３３ａによって、手首Ｍにある尺骨茎状突起Ｎに当たらないように、手首Ｍに装着される。すなわち、手首装着型血圧計１が手首Ｍに装着される装着軌跡で、コア３０が尺骨茎状突起Ｎに当たらない。また、手首装着型血圧計１を手首Ｍに装着した状態で、コア３０が尺骨茎状突起Ｎに当たらない。
【００３１】
なお、手首装着型血圧計１を装着者の右手の手首Ｍに装着する際も、同様とする。この場合、切欠き３３ｂが、右手の手首Ｍにある尺骨茎状突起Ｎに対応する。
【００３２】
［血圧計用カフの作用］
実施例１の血圧計用カフ２０の作用を説明する。実施例１の血圧計用カフ２０は、手首Ｍに巻くように装着されるカバー体２１に収容される、断面Ｕ字状に開口した開口部４０を有する弾性体のコア３０を備え、コア３０は、開口部４０の手の甲側の開口縁３１ａに切欠き３３を有する（図３）。
【００３３】
これにより、血圧計用カフ２０を手首Ｍに装着する際に、コア３０が装着軌跡で尺骨茎状突起Ｎに触れないようにすることができる。そのため、血圧計用カフ２０を手首Ｍに装着する際に、コア３０が尺骨茎状突起Ｎと当接することによる痛みを防止することができる。
【００３４】
また、血圧計用カフ２０を手首Ｍに装着した状態で、コア３０が尺骨茎状突起Ｎに触れないようにすることができる。そのため、血圧計用カフ２０を手首Ｍに装着した状態で、コア３０が尺骨茎状突起Ｎと当接することによる痛みを防止することができる。
【００３５】
実施例１の血圧計用カフ２０では、切欠き３３は、コア３０の長手方向の両方の角部に設けられる（図３）。
【００３６】
これにより、血圧計用カフ２０を右手に装着しても、左手に装着しても、コア３０が尺骨茎状突起Ｎに触れないようにすることができる。そのため、血圧計用カフ２０を右手に装着しても、左手に装着しても、コア３０が尺骨茎状突起Ｎと当接することによる痛みを防止することができる。
【００３７】
実施例１の血圧計用カフ２０では、切欠き３３の隅角部は、Ｒ状に丸く形成される（図４）
【００３８】
これにより、切欠き３３が尺骨茎状突起Ｎの外周縁に沿うように血圧計用カフ２０を手首Ｍに装着することができ、コア３０が尺骨茎状突起Ｎと当接することによる痛みを防止することができる。また、切欠き３３が設けられた部分のコア３０を補強することができる。
【００３９】
実施例１の血圧計用カフ２０では、手の甲側の開口縁３１ａには、コア３０の手首Ｍへの装着方向Ｄに対して傾斜した返し部３２が形成される（図２）。
【００４０】
これにより、血圧計用カフ２０を手首Ｍに装着する際に、返し部３２に手首Ｍを当てることができる。そして、傾斜した返し部３２を手首Ｍに接した状態で装着方向Ｄに押すと、分力により、コア３０を開口部４０が開く方向に拡げることができる。その結果、血圧計用カフ２０の装着性を向上させることができる。
【００４１】
実施例１の血圧計用カフ２０では、返し部３２は、コア３０の手首Ｍへの装着方向Ｄにおいて、手の平側の開口縁３１ｂより突出しない位置に形成される（図２）。
【００４２】
これにより、血圧計用カフ２０を手首Ｍに装着した状態で、コア３０の出っ張りをなくすことができる。そのため、血圧計用カフ２０を手首Ｍにピッタリと巻き付けて固定することができる。その結果、手首装着型血圧計１の検出精度を向上させることができる。
【実施例２】
【００４３】
実施例２の血圧計用カフは、カフの切欠きが異なる点で、実施例１の血圧計用カフと相違する。
【００４４】
［血圧計用カフの構成］
図７は、実施例２のコアを示す斜視図である。以下、図７に基づいて、実施例２のコアの構成を説明する。なお、実施例１で説明した内容と同一乃至均等な部分の説明については、同一用語又は同一の符号を用いて説明する。
【００４５】
血圧計用カフ２２０のコア本体２３１は、開口部４０の手の甲側の開口縁３１ａに、矩形の切欠き２３３を有する。切欠き２３３は、コア本体２３１の長手方向において、中央付近に設けられる。なお、切欠き２３３は、隅角部がＲ状に丸く形成されてもよい。
【００４６】
実施例２の血圧計用カフ２２０では、切欠き２３３は、コア２３０の長手方向の中央付近に設けられる（図７）。
【００４７】
これにより、血圧計用カフ２２０を右手に装着しても、左手に装着しても、コア２３０が尺骨茎状突起Ｎに触れないようにすることができる。そのため、血圧計用カフ２２０を右手に装着しても、左手に装着しても、コア２３０が尺骨茎状突起Ｎと当接することによる痛みを防止することができる。
【００４８】
なお、他の構成及び作用効果については、上記実施例と略同様であるので説明を省略する。
【００４９】
以上、本発明の血圧計用カフを実施例１及び実施例２に基づき説明してきた。しかし、具体的な構成については、これらの実施例に限られるものではなく、特許請求の範囲の各請求項に係る発明の要旨を逸脱しない限り、各実施例の組み合わせや、設計の変更や、追加等は許容される。
【００５０】
実施例１及び実施例２では、返し部３２は、開口縁３１ａから、筒状に形成されたコア本体３１の内側に向かって延在して形成される例を示した。しかし、返し部は、この態様に限定されない。例えば、図８に示すように、返し部３３２は、血圧計用カフ３２０のコア本体３３１の開口縁３３１ａから筒状に形成されたコア本体３３１の外側に向かって延在して形成されてもよい。
【００５１】
実施例１及び実施例２では、切欠き３３を、コア本体３１の長手方向の両方の角部に設ける例を示した。しかし、切欠きは、コア本体３１の長手方向の一方の角部に設けてもよい。
【００５２】
実施例１及び実施例２では、返し部３２は、コア本体３１の周方向の手の甲側の開口縁３１ａに設けられる例を示した。しかし、返し部は、コア本体３１の周方向の手の平側の開口縁３１ｂに設けられてもよいし、両方の開口縁３１ａ，３１ｂに設けられてもよい。
【符号の説明】
【００５３】
１        手首装着型血圧計
２０      血圧計用カフ
２１      カバー体
３０      コア
３１ａ    開口縁
３１ｂ    開口縁
３２      返し部
３３      切欠き
４０      開口部
Ｄ        装着方向
Ｍ        手首
【図１】
2020081734.tif 000003
【図２】
2020081734.tif 000004
【図３】
2020081734.tif 000005
【図４】
2020081734.tif 000006
【図５】
2020081734.tif 000007
【図６】
2020081734.tif 000008
【図７】
2020081734.tif 000009
【図８】
2020081734.tif 000010